(57)【要約】【課題】デジタル放送用のテレビジョンの更新が予定されている際に、電源プラグを抜かれ、電源供給が停止してしまうと、更新プログラムを受信することができず、更新が正しく行えない。【解決手段】更新プログラムの配布時刻などの更新情報を受信した後、更新が実際になされるまでの間に、電源プラグが抜かれるなど電源供給が停止した場合には、再度電源が入った際に警告メッセージを表示する。【選択図】図２
2008294941.tif 000002
【特許請求の範囲】
【請求項１】
ＴＶ放送と番組情報などのデータを含んだデジタル放送の受信をすることができる受信手段と、
ＴＶ放送とＯＳＤ表示を表示することができる表示手段と、
商用電源から電源を供給する電源供給手段と、を備えたデジタル放送用テレビジョンであって、
上記電源供給手段から、電源供給が一定時間以上されなかったことを検知する電源検知手段と、
上記受信手段で他の情報とともにデータとして受信されたソフトウェアの更新情報を受け取り、記憶する更新管理手段と、
上記更新管理手段が、更新情報を受け取った後、上記電源検知手段で電源供給がされなかったこと検知した場合には、次回電源が供給された際に上記表示手段にメッセージを表示する制御手段を備えることを特徴とするデジタル放送用テレビジョン。
【請求項２】
上記更新管理手段が更新情報を受け取ると、ユーザに更新があることを告知する告知手段を備えることを特徴とする請求項１に記載のデジタル放送用テレビジョン。
【請求項３】
上記表示手段に表示されるメッセージが、上記更新管理手段に記録されている更新予定時間より前か後かで表示されるメッセージを変更することを特徴とする請求項１または請求項２に記載のデジタル放送用テレビジョン。
【請求項４】
上記受信手段が、テレビジョンのチューナであって、
上記表示手段が、テレビジョンの液晶パネルであって、
上記電源検知手段及び上記更新管理手段として機能するマイコンを備えており、
上記マイコンと発光ダイオードに分けられた電圧が供給されており、
上記マイコンには、更新情報出力ラインを備えており、同更新情報出力ラインはトランジスタのベースに接続され、同トランジスタは上記発光ダイオードからコレクタに接続されており、同トランジスタのエミッタは接地接続されており、
上記マイコンが上記更新情報を受け取ると、更新情報出力ラインにＨｉで出力し、上記マイコンから出力されたＨｉの出力が上記トランジスタのベースに入力されることで、同トランジスタに接続され、かつテレビジョンの前面に外部から見えるように配置されている上記発光ダイオードが発光し、
上記表示手段に表示されるメッセージが、上記更新管理手段に記録されている更新予定時間より前の場合には、電源を抜かないよう警告するメッセージであり、上記更新管理手段に記録されている更新予定時間より後の場合には、更新が行われなかったことを通知するメッセージであることを特徴とする請求項１に記載のデジタル放送用テレビジョン。
【発明の詳細な説明】
【技術分野】
【０００１】
この発明は、ソフトウェアの更新データなどをデジタル放送から受信して更新するデジタル放送用テレビジョンに関する。 
【背景技術】
【０００２】
地上デジタル放送では、テレビジョンのソフトウェアは、テレビ放送のデータなどと一緒に受信されるエンジニアリングサービス（ＥＳ）によって更新される。エンジニアリングサービスによって、ソフトウェアを更新するためには、テレビジョンの電源が入った待機状態である必要がある。
【０００３】
例えば、特許文献１では、ファクシミリなどを備えた画像処理複合装置において、あらかじめ設定した機能ボードの更新のタイミングに、更新を自動的に行い、その際に交信スタンバイ状態にする技術が開示されている。
また、特許文献２では、プログラムの書き換え可能なマイコンを含むビデオレシーバにおいて、受信した更新プログラムをブロックごとに照合し、変更があった箇所のみ書き換えを行う技術が開示されている。
さらに、特許文献３では、情報処理装置において、ユーザが利用する可能性が最も低い時間帯に、受信した更新プログラムを更新する技術が開示されている。 
【特許文献１】特開平９−１６７０９４号公報
【特許文献２】特開平１０−１７１６６４号公報
【特許文献３】特開平１０−３３３９１４号公報
【発明の開示】
【発明が解決しようとする課題】
【０００４】
上記特許文献1〜上記特許文献３では、更新プログラムをスタンバイ状態の際に行う技術が開示されているが、いずれも更新情報を受領後に、更新をすることができるスタンバイ状態が持続されたかどうかは判定していない。そのため、決まった時間にしか更新データが送られてこないデジタル放送機器では、その該当時間にスタンバイになっていないために更新情報を受け取ることができない可能性がある。
【０００５】
この発明は、こうした実情に鑑みてなされたものであり、更新情報を受け取った後、テレビジョンのコンセントのプラグを抜いてしまい、更新プログラムを実行できなくなってしまうことを防止するようなデジタル放送用のテレビジョンの提供を目的とする。 
【課題を解決するための手段】
【０００６】
上記目的を達成するために、主たる発明のデジタル放送用のテレビジョンでは、ＴＶ放送と番組情報などのデータを含んだデジタル放送の受信をすることができる受信手段と、ＴＶ放送とＯＳＤ表示を表示することができる表示手段と、商用電源から電源を供給する電源供給手段と、を備えたデジタル放送用テレビジョンであって、上記電源供給手段から、電源供給が一定時間以上されなかったことを検知する電源検知手段と、上記受信手段で他の情報とともにデータとして受信されたソフトウェアの更新情報を受け取り、記憶する更新管理手段と、上記更新管理手段が、更新情報を受け取った後、上記電源検知手段で電源供給がされなかったこと検知した場合には、次回電源が供給された際に上記表示手段にメッセージを表示する制御手段を備える構成としてある。 
本発明の他の特徴については、本明細書及び添付図面の記載により明らかにする。 
【発明を実施するための最良の形態】
【０００７】
本明細書及び添付図面の記載により、少なくとも、以下の事項が明らかとなる。 
【０００８】
上記主たる発明の構成によれば、受信手段で受け取ったソフトウェアの更新情報を、更新管理手段が記憶する。そして、更新管理手段が、更新情報を受け取った後、電源供給手段から電源が一定時間以上供給されなかったことを電源検知手段が検知すると、その後電源が供給された際に、制御手段が表示手段にメッセージを表示する。
【０００９】
すなわち、デジタル放送のデータの中から当該テレビジョンの更新が予定されているか、また予定されているとすれば、その予定時間などの更新情報を確認し、その予定時間など必要情報を記憶しておく。そして更新情報を受信した場合には、更新予定時間までの間に、テレビジョンの電源プラグが抜かれるなど電源が供給されなかった場合には、次回プラグが差し込まれて、電源がはいった際に表示手段にメッセージをＯＳＤ等の方法で表示する。
【００１０】
このように構成すると、電源プラグを抜いたりするユーザに対して適切な警告を行うことができる。そのため、そのような習慣のないユーザには不必要な警告をする必要がなく、また習慣的に電源のプラグを抜くユーザに対しては、必要な警告をすることができる。そのため、適切な更新を行うことができる。
【００１１】
特に近年、節電を意識し、待機電力の消費を節約するために、外出時や就寝時にテレビジョンなどの家電製品のプラグを抜いてしまうことが増えている。通常更新情報を受信してから、更新プログラムが配布されるまでには数日間があくため、就寝時や外出時にプラグを抜いていた場合には、更新プログラムが配布される前に、警告することができるため、少なくとも更新されるまではユーザがプラグを抜かないようにさせることができ、適切に更新を行うことができる。
【００１２】
上記デジタル放送用のテレビジョンの一例として、上記更新管理手段が更新情報を受け取ると、ユーザに更新があることを告知する告知手段を備える構成とすることができる。 
更新管理手段が更新情報を受け取ると、告知手段がユーザに更新があることを告知するように点灯する。
このような構成では、ユーザが更新があることを知ることができ、プラグを抜かないように気をつけることができる。
【００１３】
上記表示手段の一例として、表示するメッセージが、上記更新管理手段に記録されている更新予定時間より前か後かで表示されるメッセージを変更する構成とすることができる。 
電源が供給されなくなった後、再度電源が供給されると、更新管理手段に記録されている更新時間と、再度電源が供給された時間を比較して、再度電源が供給された時間が更新時間より早いか遅いかによって、表示手段に表示するメッセージの内容を変更する。
このような構成では、更新が行われる前と後とでユーザの対応が異なる場合に、ユーザに適切な対応を促すことができる。 
【００１４】
また、更に具体的な構成として、上記受信手段が、テレビジョンのチューナであって、上記表示手段が、テレビジョンの液晶パネルであって、上記電源検知手段及び上記更新管理手段として機能するマイコンを備えており、上記マイコンと発光ダイオードに分けられた電圧が供給されており、上記マイコンには、更新情報出力ラインを備えており、同更新情報出力ラインはトランジスタのベースに接続され、同トランジスタは上記発光ダイオードからコレクタに接続されており、同トランジスタのエミッタは接地接続されており、上記マイコンが上記更新情報を受け取ると、更新情報出力ラインにＨｉで出力し、上記マイコンから出力されたＨｉの出力がトランジスタのベースに入力されることで、同トランジスタに接続され、かつテレビジョンの前面に外部から見えるように配置されている発光ダイオードが発光し、上記表示手段に表示されるメッセージが、上記更新管理手段に記録されている更新予定時間より前の場合には、電源を抜かないよう警告するメッセージであり、上記更新管理手段に記録されている更新予定時間より後の場合には、更新が行われなかったことを通知するメッセージである構成としても良い。 
更に具体的に構成された上記発明では、上述した各構成と同様の効果を奏することはいうまでもない。 
【００１５】
以下、添付図面にもとづいて、本発明をテレビジョンにおいて具現化した実施例について説明する。 
【００１６】
図１は、本実施例におけるデジタル放送用テレビジョン１００の概略構成を示すブロック図である。なお、当該テレビジョン１００について、本願発明と直接関連しない構造については、詳細な説明、及び図示を省略する。 
【００１７】
同図において、テレビジョン１００は、アンテナ１１aで受信されるテレビ放送信号から選択されているチャンネルのテレビ放送信号を抽出して出力するチューナ１１と、当該テレビ放送信号に基づき映像を出力する映像処理部１２と、同映像を表示する液晶パネルで構成されたディスプレイ１３と、当該テレビ放送信号に基づき音声を出力する音声処理部１４と、同音声を出力するスピーカ１５と、マイコン１６と、電源回路１７とを備えている。 
【００１８】
上記構成において、マイコン１６は、テレビジョン１００を構成する各部と電気的に接続しており、マイコン１６の内部構成部品としてのＣＰＵが、同じくマイコンの構成部品であるＲＯＭやＲＡＭなどに書き込まれた各ソフトウェアに従って、テレビジョン１００を制御する。これらのマイコンを制御するソフトウェアは、デジタル放送に含まれる更新プログラムによって、更新される。
【００１９】
チューナ１１は、テレビ放送信号の他にデジタル放送に含まれるデータを抽出する。抽出したデータを、マイコン１６に送る。マイコン１６は同データの中からテレビジョン１００に必要なデータを抽出し記憶する。このデータの中には、番組情報などの他に、テレビジョン１００の更新プログラムの対象機種及びモデル情報や更新プログラムがダウンロードされる時間などの更新情報が含まれている。マイコン１６は、更新情報を記憶し、更新が行われるかどうかを管理する。また、予定されていた更新時間になると、チューナ１１に含まれるデータの中からマイコン１６は、更新プログラムを抽出し、テレビジョン１００にダウンロードし、ソフトウェアを更新する。
【００２０】
なお、本実施例においてはディスプレイ１３は、液晶パネルで構成されているが、プラズマモジュールでもよく、更にブラウン管で構成されていてもよい。ディスプレイ１３は、ＴＶ放送の他に、マイコン１６の命令に基づき、映像処理部１２で生成されたＯＳＤ表示を表示することができる表示手段として機能する。
【００２１】
また、電源回路１７は、各部に電源を供給する電源供給手段として機能する。電源回路１７は、商用電源（商用ＡＣ電源）よりプラグ１７ａを通して、駆動電力を供給されており、電源回路１７は同駆動電力に基づいて、各部に供給する電源を生成する。通常テレビジョン１００の主電源がオフにされていても、プラグ１７ａが商用ＡＣ電源に接続されていれば、電源回路１７はマイコン１６等を作動させるための最低限の電源を生成し続ける。プラグ１７ａが商用ＡＣ電源より抜かれると、マイコン１６はテレビジョン１００の終了処理を行い、終了処理を行ったことを記憶する。
【００２２】
なお、プラグ１７aが商用ＡＣ電源より抜かれたかどうかの判断は、６０ミリ秒以上電源供給が途絶えたかどうかで判断する。商用ＡＣ電源から瞬発的に電源が途切れることがあり、実際にはプラグ１７ａが抜かれていないのに、抜かれたと判断されることを防ぐためである。６０ミリ秒以上電源供給がなされない場合には、マイコン１６はプラグ１７ａが抜かれたと判断し、テレビジョン１００の終了処理を行う。
【００２３】
図２は、更新情報を受け取った後、電源が供給されて更新がなされたかどうかを確認するためのフローチャートである。
ステップＳ１１０で、マイコン１６がチューナ１１より更新情報を受け取る。詳しくは後述するが、マイコン１６は、更新情報を受け取ると、更新情報出力ラインにＨｉを出力する。ステップＳ１１１で、マイコン１６は、プラグ１７ａが抜かれて、電源回路１７から電源の供給が止まり、テレビジョン１００の終了処理を行ったかどうかを判断する。
【００２４】
ステップＳ１１１で、プラグ１７ａが抜かれたと判断すると、ステップＳ１１２で、マイコン１６はプラグ１７ａが商用ＡＣ回路に再度差し込まれて、再び電源が供給されたかどうかを判断する。電源が供給されたとマイコン１６が判断すると、ステップＳ１１３で、再度電源が供給されたタイミングが、マイコン１６に記憶された更新プログラムの配布時間より前か後かを判断する。
【００２５】
ステップＳ１１３で、更新プログラムの配布後と判断すると、ステップＳ１１４で、マイコン１６はＯＳＤ表示の信号を生成し、その信号を映像処理部１２に出力する。映像処理部１２は受け取ったＯＳＤ表示の信号に基づき、ＯＳＤ表示信号を生成し、その信号に基づいてディスプレイ１３はＯＳＤ表示を行う。図３は、このＯＳＤ表示を示しており、ソフトウェアが更新されなかったので、対処をメーカに問い合わせることを促すＯＳＤ表示である。
【００２６】
ステップＳ１１３で、更新プログラムの配布前と判断すると、ステップＳ１１５で、マイコン１６はＯＳＤ表示の信号を生成し、その信号を映像処理部１２に出力する。映像処理部１２は受け取ったＯＳＤ表示の信号に基づき、ＯＳＤ表示信号を生成し、その信号に基づいてディスプレイ１３はＯＳＤ表示を行う。図４は、このＯＳＤ表示を示しており、ソフトウェアが更新予定のために、プラグ１７ａを抜かないように警告するＯＳＤ表示である。その後、ステップＳ１１６で、更新の配布時間になったことを確認するまで、ステップＳ１１１〜ステップＳ１１６の処理が繰り返される。
【００２７】
ステップＳ１１６で、更新の配布時間になったことを確認すると、ステップＳ１１７で、マイコン１６は、チューナ１１に含まれるデータの中から更新プログラムを抽出し、テレビジョン１００にダウンロードし、ソフトウェアを更新する。そして、ステップＳ１１８で、マイコン１６は、ソフトウェアの更新が終了したことを確認すると、ステップＳ１１９で、マイコン１６は、更新情報出力ラインにＬｏｗを出力する。ステップＳ１１9についても、告知手段の回路の構成とともに後述する。
【００２８】
図５は、ユーザに対して更新があることを告知するための告知手段の回路図である。
当該回路には、３．３Ｖの電源が与えられており、その電源は抵抗２１の一端とマイコン１６の電源端子に供給されている。抵抗２１の他端は、発光ダイオード２２のアノードに接続され、同発光ダイオード２２のカソードがトランジスタ２３のコレクタ端子に接続する。マイコン１６の更新情報出力ラインの出力ポートは、抵抗２４と抵抗２５の直列回路を通してグランドに接続されている。抵抗２４と抵抗２５の接続点は、トランジスタ２３のベース端子に接続される。同トランジスタ２３のエミッタ端子はグラウンドに接続されている。
【００２９】
なお、発光ダイオード２２は、ユーザから見えるように、テレビジョン１００の前面筐体に取り付けられている。マイコン１６が、ソフトウェアの更新情報を受け取ると、発光ダイオード２２が発光し、更新が予定されていないときには、発光ダイオード２２は消灯する。そのため、ユーザはソフトウェアの更新が予定されているかどうか知ることができる。
【００３０】
通常時、マイコン１６は、更新情報出力ラインにＬｏｗを出力するため、抵抗２４と抵抗２５の接続点はグランドと同電位であり、トランジスタ２３のベースに電流が流れず、スイッチング素子であるトランジスタ２３はオフ状態である。よって、発光ダイオード２２に電流は流れず、消灯している。そのため、ユーザは更新が予定されていないことを知ることができる。
【００３１】
チューナ１１より、更新情報を受け取ると、ステップＳ１１０で、マイコン１６は、更新情報出力ラインをＨｉで出力する。このＨｉ出力は、抵抗２４と抵抗２５で分圧され、トランジスタ２３のベース−エミッタ間に電流が流れる。トランジスタのコレクタ端子には、３．３Ｖの電源からの電圧が印加されているため、コレクタ−エミッタ間の電流が流れるようになる。トランジスタ２３に電流が流れると、発光ダイオード２２に電流が流れるようになり、同発光ダイオード２２が発光する。
【００３２】
更新プログラムの配布が終了し、プログラムの更新がなされると、ステップＳ１１９で、マイコン１６は更新情報出力ラインを再びＬｏｗで出力する。すると、上述したようにトランジスタ２３のベース−エミッタ間の電流が流れなくなるため、トランジスタ２３のコレクタ−エミッタ間がオフになり、発光ダイオード２２が消灯する。
【００３３】
次に、更新情報が受信されてからの操作例について図２のフローチャートを利用しながら説明する。
まず、ユーザが電源プラグを抜かない場合について説明する。
デジタル放送の放送局は、テレビジョンなどデジタル放送機器のメーカからの要望など必要に応じて、更新情報をデジタル放送として送信する。すると、ステップＳ１１０にて、チューナ１１が、デジタル放送から更新情報を受信し、マイコン１６に送る。すると、マイコン１６は更新情報出力ラインをＬｏｗ出力からＨｉ出力に変更するので、発光ダイオード２２が発光する。この結果ユーザはソフトウェアの更新の予定があることが分かり、本来ならばプラグを抜かない。その後ステップＳ１１６で、更新プログラムが配布される時刻になったことを確認すると、ステップＳ１１７で、更新プログラムをダウンロードし、マイコン１６はソフトウェアを更新する。なお、更新がされない間、マイコン１６は、ステップＳ１１１からステップＳ１１６を繰り返すことになる。しかし、ステップＳ１１８で、マイコン１６が更新の完了を確認すると、ステップＳ１１９で、マイコン１６は、更新情報出力ラインにＬｏｗを出力し、発光ダイオード２２が消灯し、更新処理が終了する。
【００３４】
次に、更新情報を受信後、ユーザがプラグ１７ａを抜き、更新予定時刻前にプラグ１７ａを再びさして、テレビジョン１００の電源をいれ、再度プラグを抜かなかった場合について説明する。
ステップＳ１１０にて、チューナ１１が、デジタル放送から更新情報を受信して、マイコン１６に送る。すると、マイコン１６は更新情報出力ラインをＬｏｗ出力からＨｉ出力に変更し、発光ダイオード２２が発光する。ユーザがそれに気付かずに、プラグ１７ａを抜くと、ステップＳ１１１で、マイコン１６はテレビジョン１００の終了処理を行うと同時に、終了処理を行ったと判断する。
【００３５】
ユーザが再びプラグ１７ａを商用ＡＣ電源に差込むと、マイコン１６は、ステップＳ１１２で、テレビジョン１００の電源がオンになったと判断し、ステップＳ１１３で、更新情報に含まれている更新予定時間と、電源がオンになった時間を比較する。この場合には、電源がオンになった時間が更新予定時間より早いため、図４のようなメッセージを表示するためのＯＳＤ信号を生成し、映像処理部１２に送る。映像処理部１２はＯＳＤ表示信号を生成し、ディスプレイ１３はＯＳＤ表示を表示する。
【００３６】
通常であれば、警告メッセージをみたユーザがその後プラグ１７ａを抜かない。このため、マイコン１６はステップＳ１１６で、更新プログラムが配布される時刻になったことを確認すると、ステップＳ１１７で、更新プログラムをダウンロードし、ソフトウェアを更新する。ステップＳ１１８で、マイコン１６がソフトウェアの更新が完了したことを確認すると、ステップＳ１１９にて、更新情報出力ラインにＬｏｗを出力し、発光ダイオード２２が消灯し、更新処理が終了する。
【００３７】
更新情報を受信後、ユーザがプラグ１７ａを抜き、更新予定時刻後にプラグ１７ａを再び商用ＡＣ電源にさして、テレビジョン１００の電源を入れた場合について説明する。
ステップＳ１１０にて、チューナ１１が、デジタル放送から更新情報を受信して、マイコン１６に送ると、マイコン１６は更新情報出力ラインにＨｉを出力し、発光ダイオード２２が発光する。ユーザがそれに気付かずに、プラグ１７ａを抜くと、ステップＳ１１１で、マイコン１６はテレビジョン１００の終了処理を行うと同時に、終了処理を行ったことを記憶する。
【００３８】
ユーザが再びプラグ１７ａを商用ＡＣ電源に差込むと、ステップＳ１１２で、テレビジョン１００の電源がオンになったとマイコン１６は判断する。続いて、マイコン１６は、ステップＳ１１３で、更新情報に含まれている更新予定時間と、電源がオンになった時間を比較するが、この場合は、電源がオンになった時間が更新予定時間より遅いと判断する。このため、マイコン１６は図５のようなメッセージを表示するためのＯＳＤ信号を生成し、映像処理部１２に送る。映像処理部１２はＯＳＤ表示信号を生成し、ディスプレイ１３はＯＳＤ表示を表示する。更新時間を過ぎると、更新を自動的にダウンロードすることはできなくなる。そのため、ステップＳ１１９にて、マイコン１６は、更新情報出力ラインにＬｏｗを出力し、発光ダイオード２２が消灯し、更新処理が予定されていない状態であることを表示する。
【００３９】
このように、上記実施例によれば、更新情報を受け取った後、テレビジョン１００のコンセントのプラグ１７ａを抜くなど電源の供給がなされないことがあった場合には、次回電源が供給された場合に警告のメッセージを表示する。 
【００４０】
なお、本発明は上記実施例に限られるものでないことは言うまでもない。当業者であれば言うまでもないことであるが、 
・上記実施例の中で開示した相互に置換可能な部材および構成等を適宜その組み合わせを変更して適用すること 
・上記実施例の中で開示されていないが、公知技術であって上記実施例の中で開示した部材および構成等と相互に置換可能な部材および構成等を適宜置換し、またその組み合わせを変更して適用すること 
・上記実施例の中で開示されていないが、公知技術等に基づいて当業者が上記実施例の中で開示した部材および構成等の代用として想定し得る部材および構成等と適宜置換し、またその組み合わせを変更して適用すること 
は本発明の一実施例として開示されるものである。 
【図面の簡単な説明】
【００４１】
【図１】本実施例のテレビジョンのブロック図である。
【図２】本実施例の更新情報受信後のフローチャートである。
【図３】本実施例の警告表示の例である。
【図４】本実施例の警告表示の例である。
【図５】本実施例の告知手段の回路図である。
【符号の説明】
【００４２】
１００…テレビジョン、１１…チューナ、１１a…アンテナ、１２…映像処理部、１３…ディスプレイ、１４…音声処理部、１５…スピーカ、１６…マイコン、１７…電源回路、１７ａ…プラグ、２１…抵抗、２２…発光ダイオード、２３…トランジスタ、２３…後トランジスタ、２４…抵抗、２５…抵抗
【図１】
2008294941.tif 000003
【図２】
2008294941.tif 000004
【図３】
2008294941.tif 000005
【図４】
2008294941.tif 000006
【図５】
2008294941.tif 000007